(57)【要約】【課題】組み立てられた杖の連結状態が堅固に維持され、かつ、簡便に組立または分離することができる組立式杖を提供する。【解決手段】本発明に係る組立式杖は、互いに分離・組立可能な第１の管体２００および第２の管体３００を含む組立式杖であって、第１の管体２００の一端に結合される第１の連結部材２１０、および第２の管体３００の一端に結合され、かつ、第１の連結部材２１０が締結可能な第２の連結部材３１０を含む。第１の連結部材２１０は、第１の管体２００の一端から径が減少しつつ延びる傾斜部２１１と、傾斜部２１１の端部から延在する小径部２１２とを含み、第２の連結部材３１０には、傾斜部２１１が締結される第１の挿入孔３０２および小径部２１２が締結される第２の挿入孔３０３が形成されており、第２の連結部材３１０は、第１の連結部材２１０との締結時に、第１の連結部材２１０を半径方向へ押止して固定する。【選択図】図１
2011240111.tif 000002
【特許請求の範囲】
【請求項１】
互いに分離・組立可能な第１の管体および第２の管体を含む組立式杖であって、
前記第１の管体の一端に結合される第１の連結部材、および
前記第２の管体の一端に結合され、かつ、前記第１の連結部材が締結可能な第２の連結部材を含み、
前記第１の連結部材は、前記第１の管体の一端から径が減少しつつ延びる傾斜部と、前記傾斜部の端部から延在する小径部とを含み、
前記第２の連結部材には、前記傾斜部が締結される第１の挿入孔および前記小径部が締結される第２の挿入孔が形成されており、
前記第２の連結部材は、前記第１の連結部材との締結時に、前記第１の連結部材を半径方向へ押止して固定することを特徴とする組立式杖。
【請求項２】
前記第２の連結部材は、前記第２の挿入孔側端部に形成されたテンション部を具備し、前記テンション部は、前記第１の連結部材の小径部が前記第２の挿入孔に挿入されたとき、前記小径部の外面を押止することを特徴とする、請求項１に記載の組立式杖。
【請求項３】
前記テンション部は、
前記第２の連結部材の前記第２の挿入孔側端部に放射状に配置される、弾性力を有する複数の締結片からなることを特徴とする、請求項２に記載の組立式杖。
【請求項４】
前記締結片は、前記第２の連結部材の長さ方向に延在し、
前記締結片の端部には、前記第２の連結部材の中心軸方向に公差調節突起が突設されていることを特徴とする、請求項３に記載の組立式杖。
【発明の詳細な説明】
【技術分野】
【０００１】
本発明は、組立式杖に関し、より詳しくは、杖を形成する管体が組み立てられる際に堅固な連結状態を維持可能とする組立式杖に関する。
【背景技術】
【０００２】
登山用や高齢者用などに使用される杖を簡便に携帯または保管可能にするために、折り畳み可能な杖が利用されている。
【０００３】
こうした折畳式杖は、複数の管体がアンテナ式に畳まれるアンテナロック式杖と、複数の管体が互いに分離・組立可能な組立式杖とに大きく区分される。
【０００４】
このうち、組立式杖は、組立ておよび分離が容易であり、杖を折り畳んだり伸ばしたりすることが容易かつ簡便であり、使用者が杖を地面に突いたときに杖本体が内部へ押し込まれないという利点がある。
【０００５】
しかしながら、従来の組立式杖は、使用者が杖を地面に突いて杖がしなった際に、管体の連結部分が曲がって折れたり、互いに脱離し得るという問題点があった。
【発明の概要】
【発明が解決しようとする課題】
【０００６】
本発明は、前記のような組立式杖の問題点を解決するためのものであり、互いに連結される管体の連結部位が簡単に曲がったり折れたりせず、かつ、容易に脱離しないようにする組立式杖を提供することを目的とする。
【課題を解決するための手段】
【０００７】
前記目的を達成するために、本発明に係る組立式杖は、互いに分離・組立可能な第１の管体および第２の管体を含む組立式杖であって、前記第１の管体の一端に結合する第１の連結部材および前記第２の管体の一端に連結し、前記第１の連結部材が締結可能な第２の連結部材を含み、前記第１の連結部材は、前記第１の管体の一端から径が減少しつつ延びる傾斜部と、前記傾斜部の端部から延在する小径部を含み、前記第２の連結部材には、前記傾斜部が締結される第１の挿入孔および前記小径部が締結される第２の挿入孔が形成されており、前記第２の連結部材は、前記第１の連結部材との締結時に、前記第１の連結部材を半径方向に押止して固定する。
【０００８】
また、テンション部は、前記第２の連結部材の前記第２の挿入孔側端部に形成され、前記小径部の外面を押止することもできる。
【０００９】
また、前記テンション部は、前記第２の連結部材の前記第２の挿入孔側端部に放射状に配置され、弾性力を有する複数の締結片からなることもできる。
【００１０】
また、前記締結片は、前記第２の連結部材の長さ方向に延在し、前記締結片の端部には、前記第２の連結部材の中心軸方向へ公差調節突起を突設することもできる。
【発明の効果】
【００１１】
本発明に係る組立式杖は、組み立てられた杖の連結状態が堅固に維持され、かつ、簡便に組立または分離することができる。
【図面の簡単な説明】
【００１２】
【図１】本発明の一実施例に係る組立式杖が分解された状態を示す図面である。
【図２】図１の杖の第１の連結部材および第２の連結部材の分離斜視図である。
【図３】図１の杖が組み立てられた状態を示す図面である。
【発明を実施するための形態】
【００１３】
以下、本発明の好適な実施例を添付した図面を参照しつつ説明する。本発明は、図面に示された実施例を参考に説明されるが、これは一つの実施例として説明されるものであり、これによって本発明の技術的思想とその核心構成および作用が制限されるものではない。
【００１４】
図１は、本発明の一実施例に係る組立式杖１０が分解された状態を示す図面である。
【００１５】
図１に示されたところのように、本実施例に係る組立式杖１０は、互いに組立・分離可能な３つの管体１００，２００，３００を含む。
【００１６】
管体１００，２００，３００は、いずれも中空状に形成され、管体１００，２００，３００内部ではゴム紐４００が貫通して設けられる。このような構成によると、管体１００，２００，３００がすべて分離されても、管体１００，２００，３００がゴム紐４００に繋がっているようになるので、各々の管体を別個に管理せずともよいという利点がある。
【００１７】
最上端に位置する管体１００の上端部には、使用者が把持可能なグリップ１０１が形成されており、また、最下端に位置する管体３００の下端部には、地面を支持する地面支持部４０１が形成されている。
【００１８】
以下では、管体２００を第１の管体、管体３００を第２の管体と各々称し、その連結構造について説明する。ただし、第１の管体および第２の管体は必ずしも管体２００と管体３００のみを指すのではなく、杖を構成する管体のうち互いに隣接するように配置されて互いに連結する２つの管体が、それぞれ本発明に係る第１の管体および第２の管体となるということが理解されるべきであろう。
【００１９】
図１に示されたところのように、第１の管体２００の一端には、第１の連結部材２１０が結合されており、第２の管体３００の一端には第２の連結部材３１０が結合されている。本実施例によれば、第１の連結部材２１０および第２の連結部材３１０が互いに結合して第１の管体２００および第２の管体３００を連結する連結構造を形成する。
【００２０】
図２は、第１の連結部材２１０および第２の連結部材３１０の分離斜視図である。
【００２１】
図１および図２に示されたところのように、第１の連結部材２１０は、第１の管体２００の内径に対応する外径を有する大径部２１３、大径部２１３から径が減少しつつ延びる傾斜部２１１、および傾斜部２１１の端部から第１の管体２００の長さ方向と平行して延在する小径部２１２を含む。
【００２２】
第１の連結部材２１０は、大径部２１３が第１の管体２００内部に挿入されて第１の管体２００に結合される。第１の連結部材２１０が第１の管体２００に結合されると、第１の管体２００の一端には傾斜部２１１と小径部２１２が露出して配置される。
【００２３】
本実施例によると、傾斜部２１１と小径部２１２が第１の管体２００に結合される第１の連結部材２１０に形成されるが、傾斜部２１１と小径部２１２は、第１の管体２００と一体に形成することもできる。
【００２４】
第２の連結部材３１０は、第２の管体３００の内径に対応する外径を有する連結部３０５と、連結部３０５の一端に具備されて第２の管体３００外部に露出される露出部３０４を含む。また、連結部３０５の他端には、弾性力を有する４つの締結片３０６が第２の連結部材３１０の長さ方向に延在しており、締結片３０６の端部には公差調節突起３０７が第２の連結部材３１０の中心軸方向に突設されている。
【００２５】
本実施例によると、前記締結片３０６が、第１の連結部材２１０が第２の連結部材３１０に締結されたときに、第１の連結部材２１０の小径部２１２の外面を半径方向へ押止して固定するテンション部を形成する。
【００２６】
第２の連結部材３１０の内部には、第１の連結部材２１０の傾斜部２１１に対応するテーパ状の第１の挿入孔３０２および小径部２１２に対応する形状の第２の挿入孔３０３を含む挿入孔３０１が形成されている。
【００２７】
第１の管体２００および第２の管体３００は、前記傾斜部２１１および小径部２１２が挿入孔３０１に締結される形態で、互いに連結される。
【００２８】
図３は、第１の管体２００および第２の管体３００が連結された様子を示したものである。
【００２９】
図３に示したところのように、第１の管体２００に形成された傾斜部２１１および小径部２１２は、第２の管体３００に形成された挿入孔３０１に挿入される。このとき、傾斜部２１１は第１の挿入孔３０２に収まり、小径部２１２は第２の挿入孔３０３に収まる。
【００３０】
第１の挿入孔３０２は、傾斜部２１１を管体２００，３００の長さ方向に対し傾きをもって支持されるので、使用者が杖を地面に突いて杖１０本体がしなった場合にも、力が特定の部位に集中せず、傾斜部２１１全体に等しく分散されて加えられるようになる。したがって、傾斜部２１１によって第１の管体２００と第２の管体３００の連結部位が簡単に曲がって折れたりしなくなる。
【００３１】
一方、小径部２１２は、第２の挿入孔３０３の内部に十分に深く挿入されるので、使用者が杖を地面に突いて杖１０本体がしなった場合にも、第１の管体２００と第２の管体３００が簡単に脱離しなくなる。
【００３２】
また、図３を参照すると、第１の連結部材２１０が第２の連結部材３１０に連結されたとき、小径部２１２は、第２の連結部材３１０に形成された締結片３０６の端部の位置を越えて延びる。上述したところのように、締結片３０６の端部には公差調節突起３０７が形成されているので、小径部２１２が挿入されると、公差調節突起３０７によって締結片３０６が第２の連結部材３１０の半径外側方向へ広がる。このとき、締結片３０６は、再び元の状態にすぼむための弾性復元力を有するので、締結片３０６は小径部２１２の外面を強い力で押止する。
【００３３】
したがって、小径部２１２の外径が第２の挿入孔３０３の内径と所定の公差を有しても、第１の連結部材２１０と第２の連結部材３１０の内部でぐらついたり、簡単に脱離したりすることがない。
【符号の説明】
【００３４】
１０  組立式杖
１００，２００，３００  管体
１０１  グリップ
２１０，３１０  連結部材
２１１  傾斜部
２１２  小径部
２１３  大径部
３０１  挿入孔
３０２  第１の挿入孔
３０３  第２の挿入孔
３０４  露出部
３０５  連結部
３０６  締結片
３０７  公差調節突起
４００  ゴム紐
４０１  地面支持部
【図１】
2011240111.tif 000003
【図２】
2011240111.tif 000004
【図３】
2011240111.tif 000005